(57)【要約】      （修正有）【課題】輝度ムラのない高精細な画像表示をすることができる容量性素子を提供する。【解決手段】本発明に係る容量性素子１は、相互に並行に延びるように設けられた複数の第１電極１２０と、複数の第１電極１２０を覆うように設けられた機能層１３０と、機能層１３０の上に、第１電極１２０の延びる方向に対して角度をなして相互に並行に延びるように設けられた複数の第２電極１４０と、複数の第１電極１２０のそれぞれの一端が電気的に接続された第１駆動回路１５１と、複数の第２電極１４０のそれぞれの一端が電気的に接続された第２駆動回路１５２と、を備え、第１電極１２０と第２電極１４０との各交差部に画素が構成されており、複数の第１電極１２０には、複数の第２電極１４０のそれぞれに沿った複数の画素において機能層１３０に印加される電圧が略同一となるように印加電圧補正手段が施されている。【選択図】図２
2005338640.tif 000002
【特許請求の範囲】
【請求項１】
相互に並行に延びるように設けられた複数の第１電極と、
上記複数の第１電極を覆うように設けられた機能層と、
上記機能層の上に、上記第１電極の延びる方向に対して角度をなして相互に並行に延びるように設けられた複数の第２電極と、
上記複数の第１電極のそれぞれの一端が電気的に接続された第１駆動回路と、
上記複数の第２電極のそれぞれの一端が電気的に接続された第２駆動回路と、
を備え、上記第１電極と上記第２電極との各交差部に画素が構成された容量性素子であって、
上記複数の第１電極には、上記複数の第２電極のそれぞれに沿った複数の画素において上記機能層に印加される電圧が略同一となるように印加電圧補正手段が施されている容量性素子。
【請求項２】
請求項１に記載された容量性素子において、
上記印加電圧補正手段は、上記複数の第２電極のそれぞれの上記第２駆動回路に近い方の画素を構成する上記第１電極ほど上記第１駆動回路までの引き回し電極が大きい電気抵抗を有することを特徴とする容量性素子。
【請求項３】
請求項１に記載された容量性素子において、
上記印加電圧補正手段は、上記複数の第２電極のそれぞれの上記第２駆動回路に近い方の画素を構成する上記第１電極ほど上記第１駆動回路までの引き回し電極が長く形成されていることを特徴とする容量性素子。
【請求項４】
請求項１に記載された容量性素子において、
上記印加電圧補正手段は、上記複数の第２電極のそれぞれの上記第２駆動回路に近い方の画素を構成する上記第１電極ほど上記第１駆動回路までの引き回し電極が細幅に形成されていることを特徴とする容量性素子。
【請求項５】
請求項１に記載された容量性素子において、
上記印加電圧補正手段は、上記複数の第２電極のそれぞれの上記第２駆動回路に近い方の画素を構成する上記第１電極ほど上記第１駆動回路までの引き回し電極が薄く形成されていることを特徴とする容量性素子。
【請求項６】
請求項１に記載された容量性素子において、
上記第２電極が透明電極に構成されている容量性素子。
【請求項７】
相互に並行に延びるように設けられた複数の第１電極と、
上記複数の第１電極を覆うように設けられた機能層と、
上記機能層の上に、上記第１電極の延びる方向に対して角度をなして相互に並行に延びるように設けられた複数の第２電極と、
上記複数の第１電極のそれぞれの一端が電気的に接続された第１駆動回路と、
上記複数の第２電極のそれぞれの一端が電気的に接続された第２駆動回路と、
を備え、上記第１電極と上記第２電極との各交差部に画素が構成された無機エレクトロルミネッセンス素子であって、
上記複数の第１電極には、上記複数の第２電極のそれぞれに沿った複数の画素において上記機能層に印加される電圧が略同一となるように印加電圧補正手段が施されている無機エレクトロルミネッセンス素子。
【請求項８】
相互に並行に延びるように設けられた複数の第１電極と、
上記複数の第１電極を覆うように設けられた機能層と、
上記機能層の上に、上記第１電極の延びる方向に対して角度をなして相互に並行に延びるように設けられた複数の第２電極と、
上記複数の第１電極のそれぞれの一端が電気的に接続された第１駆動回路と、
上記複数の第２電極のそれぞれの一端が電気的に接続された第２駆動回路と、
を備え、上記第１電極と上記第２電極との各交差部に画素が構成され、
上記複数の第１電極には、上記複数の第２電極のそれぞれに沿った複数の画素において上記機能層に印加される電圧が略同一となるように印加電圧補正手段が施されている容量性素子を備えた容量性表示装置。
【請求項９】
相互に並行に延びるように設けられた複数の第１電極と、
上記複数の第１電極を覆うように設けられた機能層と、
上記機能層の上に、上記第１電極の延びる方向に対して角度をなして相互に並行に延びるように設けられた複数の第２電極と、
上記複数の第１電極のそれぞれの一端が電気的に接続された第１駆動回路と、
上記複数の第２電極のそれぞれの一端が電気的に接続された第２駆動回路と、
を備え、上記第１電極と上記第２電極との各交差部に画素が構成され、
上記複数の第１電極には、上記複数の第２電極のそれぞれに沿った複数の画素において上記機能層に印加される電圧が略同一となるように印加電圧補正手段が施されている無機エレクトロルミネッセンス素子を備えた無機エレクトロルミネッセンス表示装置。
【発明の詳細な説明】
【技術分野】
【０００１】
本発明は、容量性素子及びそれを用いた容量性表示装置に関するものである。
【背景技術】
【０００２】
近年、情報処理機器の多様化に伴って、従来から一般に使用されている陰極線管（ＣＲＴ）よりも消費電力が少なく、薄型化が可能である平面素子に対する需要が高まってきている。そのような平面素子として、例えば、容量性素子である液晶素子やエレクトロルミネッセンス素子（以下、「ＥＬ素子」と略すことがある。）を挙げることができる。その中でも、無機ＥＬ素子は、全固体型、高速応答性、自発光性という特徴を有するため、特に研究開発が盛んに行われている。
【０００３】
図７は、従来の無機ＥＬ素子４の概略断面図である。
【０００４】
また、図８は、従来の無機ＥＬ素子４の電極構造を示した概略平面図である。
【０００５】
尚、説明の便宜上、図８には機能層４３０は図示していない。
【０００６】
この無機ＥＬ素子４は、基板４１０と、基板４１０の上に相互に並行して伸びるように設けられた複数の第１電極４２０と、第１電極４２０を覆うように設けられた機能層４３０と、機能層４３０の上に、第１電極４２０の延びる方向に対して直交して相互に並行に延びるように設けられた第２電極４４０と、からなる無機ＥＬパネル４００と、第１駆動回路４５１と第２駆動回路４５２とに表示画像に応じた電圧印加信号を入力する表示制御回路４６０と、表示制御回路４６０から入力された電圧印加信号に従って第１電極４２０に電圧を印加する第１駆動回路４５１と、表示制御回路４６０から入力された電圧印加信号に従って第２電極４４０に電圧を印加する第２駆動回路４５２と、により構成されている。
【０００７】
この無機ＥＬ素子４では、第１駆動回路４５１と第２駆動回路４５２とは、複数の第１電極４２０と複数の第２電極４４０とのうち表示制御回路４６０から入力された表示画像に対応した電圧印加信号に応じた第１電極４２０と第２電極４４０とに選択的に電圧を印加する。そして、電圧が印加された第１電極４２０と第２電極４４０との交差部に構成された画素のみが選択的に発光することによって、電圧印加信号に応じた画像表示を行うように構成されている。尚、第１絶縁層４３１と第２絶縁層４３３とは、高電圧が印加される無機ＥＬ素子４の絶縁破壊を防止し、高電界で安定して無機ＥＬ素子４を作動させる機能を有するものである。
【０００８】
ところで、無機ＥＬ素子４が、第２電極４４０側から発光層４３２の発光を取り出すトップエミッション方式の無機ＥＬ素子である場合、または、第２電極４４０側及び第１電極４２０側の双方から有機層４３２の発光を取り出す方式の無機ＥＬ素子である場合は、第２電極４４０側からの発光層４３２の発光の高い取り出し効率を実現する観点から、第２電極４４０は、インジウム錫酸化物（以下、「ＩＴＯ」と略すことがある。）やインジウム亜鉛酸化物（以下、「ＩＺＯ」と略すことがある。）等の透明導電性材料によって構成することが好ましい。
【特許文献１】特開平１０−２２３３７３号公報
【発明の開示】
【発明が解決しようとする課題】
【０００９】
しかしながら、ＩＴＯ等の透明導電性材料によって構成された第２電極４４０は、従来から電極材料として用いられてきたＡｌ等の金属材料と比較して電気抵抗が大きい。そのため、このような無機ＥＬ素子４では、第２駆動回路４５２から離れた画素ほど、第２電極４４０の配線抵抗による電圧降下に起因して第２電極４４０により印加される電圧が低くなる。よって、このような無機ＥＬ素子４では、画素間で第１電極４２０と第２電極４４０とにより印加される電圧にばらつきが生じ、輝度ムラが発生するという問題がある。
【００１０】
以下、第２電極４４０の電圧降下により輝度ムラが発生する原理について、図９を用いて詳細に説明する。
【００１１】
図９は、図８に示す無機ＥＬ素子４の画素Ａ及びＢの部分の電圧降下を説明する説明図である。
【００１２】
尚、説明の便宜上、図９には機能層４３０を図示していない。
【００１３】
図９に示すように、第１駆動回路４５１から入力される電圧が＋４０Ｖ、第２駆動回路４５２から入力される電圧が−２００Ｖ、画素Ａと画素Ｂとの間の第２電極４４０の配線抵抗による電圧降下が５％である場合は、第１駆動回路４５１と第２駆動回路４５２とがそれぞれ直接接続されている画素Ａには、第１電極４２０から＋４０Ｖの電圧が印加され、第２電極４４０から−２００Ｖの電圧が印加されるため、合計−２４０Ｖの電圧が印加される。一方、画素Ａを介して第２駆動回路４５２に接続されている画素Ｂには、第１電極４２０から＋４０Ｖが印加され、第２電極４４０からは、第２電極４４０の配線抵抗により電圧効果が生じるため第２駆動回路４５２から入力された電圧−２００Ｖの９５％に相当する−１９０Ｖが印加され、合計−２３０Ｖの電圧が印加される。すなわち、画素Ａと画素Ｂとでは、その印加される電圧に１０Ｖの差が生じる。従って、画素Ａと画素Ｂとの間に輝度ムラが発生することとなる。
【００１４】
このような問題に鑑み、複数の第２電極が基板の一辺部と、この一辺部に対向する他の辺部へ交互に引き出され、駆動回路に接続されている有機ＥＬディスプレイが提案されている（例えば、「特許文献１」等）。
【００１５】
この有機ＥＬディスプレイでは、複数の第２電極は、基板の一辺部と、この一辺部に対向する他の辺部へ交互に引き出されているため、複数の第２電極のそれぞれについて電圧降下が生じても画面全体としてみれば、均一な輝度分布を実現でき、文字、グラフィック等を高品位に表示することができると記載されている。
【００１６】
しかしながら、この有機ＥＬディスプレイでは、複数の第２電極のそれぞれに着目すると駆動回路に近い画素から遠い画素になるに従い電圧降下により輝度低下していくため、複数の第２電極のそれぞれに沿った複数の画素間において輝度ムラが発生し、十分に高精細な画像表示をすることができないという問題がある。
【００１７】
本発明は、かかる点に鑑みてなされたものであり、その目的とするところは、電極の配線抵抗による電圧降下により生じる画素間の輝度ばらつきを低減し、輝度ムラのない高精細な画像表示をすることができる有機ＥＬ素子を実現することにある。
【課題を解決するための手段】
【００１８】
本発明に係る容量性素子は、相互に並行に延びるように設けられた複数の第１電極と、
上記複数の第１電極を覆うように設けられた機能層と、
上記機能層の上に、上記第１電極の延びる方向に対して角度をなして相互に並行に延びるように設けられた複数の第２電極と、
上記複数の第１電極のそれぞれの一端が電気的に接続された第１駆動回路と、
上記複数の第２電極のそれぞれの一端が電気的に接続された第２駆動回路と、
を備え、上記第１電極と上記第２電極との各交差部に画素が構成されており、
上記複数の第１電極には、上記複数の第２電極のそれぞれに沿った複数の画素において上記機能層に印加される電圧が略同一となるように印加電圧補正手段が施されたものである。
【００１９】
本発明に係る容量性素子によれば、複数の第１電極のそれぞれには、印加電圧補正手段が施されている。そして、その印加電圧補正手段によって複数の第２電極のそれぞれに沿った複数の画素において、第１電極と第２電極とにより機能層に印加される電圧が略同一となるように構成されている。よって、本発明に係る容量性素子によれば、複数の第２電極のそれぞれに沿った複数の画素における輝度ムラの発生を効果的に抑制することができる。従って、輝度ムラのない高精細な画像表示が可能な容量性素子を実現することができる。
【００２０】
また、本発明に係る容量性素子は、上記印加電圧補正手段は、上記複数の第２電極のそれぞれの上記第２駆動回路に近い方の画素を構成する上記第１電極ほど上記第１駆動回路までの引き回し電極が大きい電気抵抗を有するものであっても構わない。
【００２１】
この構成によれば、複数の第２電極のそれぞれの第２駆動回路に近い方の画素を構成する第１電極ほど引き回し電極が大きい電気抵抗を有し、複数の第２電極のそれぞれに沿った複数の画素において、第１電極と第２電極とにより機能層に印加される電圧が略同一となるように構成されている。
【００２２】
すなわち、第１電極と第２電極とにより各画素に印加される電圧が略同一となるように第２電極の配線抵抗による電圧降下に起因して第２電極により印加される電圧が低くなる複数の第２電極のそれぞれの第２駆動回路から遠い方の画素ほど、電気抵抗の小さな引き回し電極を有する第１電極に接続されており、第１電極により高い電圧が印加されるように構成されている。従って、この構成によれば、複数の第２電極のそれぞれに沿った複数の画素における輝度ムラの発生を効果的に抑制することができ、輝度ムラのない高精細な画像表示が可能な容量性素子を実現することができる。
【００２３】
また、本発明に係る容量性素子は、上記印加電圧補正手段は、上記複数の第２電極のそれぞれの上記第２駆動回路に近い方の画素を構成する上記第１電極ほど上記第１駆動回路までの引き回し電極が長く形成されているものであっても構わない。
【００２４】
この構成によれば、複数の第２電極のそれぞれの第２駆動回路に近い方の画素を構成する第１電極ほど第１駆動回路までの引き回し電極が長くすることによって、複数の第２電極のそれぞれの第２駆動回路に近い方の画素を構成する第１電極ほど引き回し電極が大きい電気抵抗を有するように構成されており、複数の第２電極のそれぞれに沿った複数の画素において、第１電極と第２電極とにより機能層に印加される電圧が略同一となるように構成されている。
【００２５】
すなわち、第１電極と第２電極とにより各画素に印加される電圧が略同一となるように第２電極の配線抵抗による電圧降下に起因して第２電極により印加される電圧が低くなる複数の第２電極のそれぞれの第２駆動回路から遠い方の画素ほど、短く、電気抵抗の小さな引き回し電極を有する第１電極に接続されており、第１電極により高い電圧が印加されるように構成されている。従って、この構成によれば、複数の第２電極のそれぞれに沿った複数の画素における輝度ムラの発生を効果的に抑制することができ、輝度ムラのない高精細な画像表示が可能な容量性素子を実現することができる。
【００２６】
また、本発明に係る容量性素子によれば、上記印加電圧補正手段は、上記複数の第２電極のそれぞれの上記第２駆動回路に近い方の画素を構成する上記第１電極ほど上記第１駆動回路までの引き回し電極が細幅に形成されているものであっても構わない。
【００２７】
この構成によれば、複数の第２電極のそれぞれの第２駆動回路に近い方の画素を構成する第１電極ほど第１駆動回路までの引き回し電極を細幅に形成することによって、複数の第２電極のそれぞれの第２駆動回路に近い方の画素を構成する第１電極ほど引き回し電極が大きい電気抵抗を有するように構成されており、複数の第２電極のそれぞれに沿った複数の画素において、第１電極と第２電極とにより機能層に印加される電圧が略同一となるように構成されている。
【００２８】
すなわち、第１電極と第２電極とにより各画素に印加される電圧が略同一となるように第２電極の配線抵抗による電圧降下に起因して第２電極により印加される電圧が低くなる複数の第２電極のそれぞれの第２駆動回路から遠い方の画素ほど、太幅で、電気抵抗の小さな引き回し電極を有する第１電極に接続されており、第１電極により高い電圧が印加されるように構成されている。従って、この構成によれば、複数の第２電極のそれぞれに沿った複数の画素における輝度ムラの発生を効果的に抑制することができ、輝度ムラのない高精細な画像表示が可能な容量性素子を実現することができる。
【００２９】
また、本発明の容量性素子は、上記印加電圧補正手段は、上記複数の第２電極のそれぞれの上記第２駆動回路に近い方の画素を構成する上記第１電極ほど上記第１駆動回路までの引き回し電極が薄く形成されているものであっても構わない。
【００３０】
この構成によれば、複数の第２電極のそれぞれの第２駆動回路に近い方の画素を構成する第１電極ほど第１駆動回路までの引き回し電極が薄く形成されていることによって、複数の第２電極のそれぞれの第２駆動回路に近い方の画素を構成する第１電極ほど引き回し電極が大きい電気抵抗を有するように構成されており、複数の第２電極のそれぞれに沿った複数の画素において、第１電極と第２電極とにより機能層に印加される電圧が略同一となるように構成されている。
【００３１】
すなわち、第１電極と第２電極とにより各画素に印加される電圧が略同一となるように第２電極の配線抵抗による電圧降下に起因して第２電極により印加される電圧が低くなる複数の第２電極のそれぞれの第２駆動回路から遠い方の画素ほど、厚く、電気抵抗の小さな引き回し電極を有する第１電極に接続されており、第１電極により高い電圧が印加されるように構成されている。従って、この構成によれば、複数の第２電極のそれぞれに沿った複数の画素における輝度ムラの発生を効果的に抑制することができ、輝度ムラのない高精細な画像表示が可能な容量性素子を実現することができる。
【００３２】
また、本発明に係る容量性素子は、上記第２電極が透明電極に構成されているものであっても構わない。
【００３３】
この構成によれば、第２電極側から機能層の発光を取り出すトップエミッション方式の容量性素子、または、第２電極側及び第１電極側の双方から機能層の発光を取り出す方式の容量性素子において、機能層の発光の第２電極側からの取り出し効率が高い容量性素子を実現することができる。
【００３４】
本発明に係る無機エレクトロルミネッセンス素子は、相互に並行に延びるように設けられた複数の第１電極と、
上記複数の第１電極を覆うように設けられた機能層と、
上記機能層の上に、上記第１電極の延びる方向に対して角度をなして相互に並行に延びるように設けられた複数の第２電極と、
上記複数の第１電極のそれぞれの一端が電気的に接続された第１駆動回路と、
上記複数の第２電極のそれぞれの一端が電気的に接続された第２駆動回路と、
を備え、上記第１電極と上記第２電極との各交差部に画素が構成されており、
上記複数の第１電極には、上記複数の第２電極のそれぞれに沿った複数の画素において上記機能層に印加される電圧が略同一となるように印加電圧補正手段が施されたものである。
【００３５】
本発明に係る無機ＥＬ素子によれば、複数の第１電極には、印加電圧補正手段が施されている。そして、その印加電圧補正手段によって複数の第２電極のそれぞれに沿った複数の画素において機能層に印加される電圧が略同一となるように構成されている。よって、複数の第２電極のそれぞれに沿った複数の画素における輝度ムラの発生を効果的に抑制することができる。従って、輝度ムラのない高精細な画像表示が可能な無機ＥＬ素子を実現することができる。
【００３６】
本発明に係る容量性素子は、相互に並行に延びるように設けられた複数の第１電極と、
上記複数の第１電極を覆うように設けられた機能層と、
上記機能層の上に、上記第１電極の延びる方向に対して角度をなして相互に並行に延びるように設けられた複数の第２電極と、
上記複数の第１電極のそれぞれの一端が電気的に接続された第１駆動回路と、
上記複数の第２電極のそれぞれの一端が電気的に接続された第２駆動回路と、
を備え、上記第１電極と上記第２電極との各交差部に画素が構成され、
上記複数の第１電極には、上記複数の第２電極のそれぞれに沿った複数の画素において上記機能層に印加される電圧が略同一となるように印加電圧補正手段が施されている容量性素子を備えたものである。
【００３７】
本発明に係る容量性素子が備える容量性素子は、上述の通り、輝度ムラのない高精細な画像表示が可能である。従って、その容量性素子を備えた本発明に係る容量性素子は、輝度ムラのない高精細な画像表示をすることができる。
【００３８】
本発明に係る無機ＥＬ素子は、相互に並行に延びるように設けられた複数の第１電極と、
上記複数の第１電極を覆うように設けられた機能層と、
上記機能層の上に、上記第１電極の延びる方向に対して角度をなして相互に並行に延びるように設けられた複数の第２電極と、
上記複数の第１電極のそれぞれの一端が電気的に接続された第１駆動回路と、
上記複数の第２電極のそれぞれの一端が電気的に接続された第２駆動回路と、
を備え、上記第１電極と上記第２電極との各交差部に画素が構成され、
上記複数の第１電極には、上記複数の第２電極のそれぞれに沿った複数の画素において上記機能層に印加される電圧が略同一となるように印加電圧補正手段が施されている無機エレクトロルミネッセンス素子を備えたものである。
【００３９】
本発明に係る無機ＥＬ素子が備える無機ＥＬ素子は、上述の通り、輝度ムラのない高精細な画像表示が可能である。従って、その無機ＥＬ素子を備えた本発明に係る無機ＥＬ素子は、輝度ムラのない高精細な画像表示をすることができる。
【発明の効果】
【００４０】
以上説明したように、本発明によれば、複数の第２電極のそれぞれに沿った複数の画素における輝度ムラの発生を効果的に抑制できるので、均一な画像表示をすることができる。
【発明を実施するための最良の形態】
【００４１】
以下、本発明の実施形態を図面に基づいて詳細に説明する。
【００４２】
（実施形態１）
図１は、実施形態１に係る無機ＥＬ素子１の概略構成図である。
【００４３】
図２は、実施形態１に係る無機ＥＬ素子１の概略断面図である。
【００４４】
また、図３は、実施形態１に係る無機ＥＬ素子１の電極構造を示した概略平面図である。
【００４５】
尚、説明の便宜上、図３では機能層１３０を図示していない。
【００４６】
この無機ＥＬ素子１は、基板１１０と、基板１１０の上に相互に並行して伸びるように設けられた複数の第１電極１２０と、第１電極１２０を覆うように設けられた機能層１３０と、機能層１３０の上に、第１電極１２０の延びる方向に対して直交して相互に並行に延びるように設けられた第２電極１４０と、からなる無機ＥＬパネル１００と、第１駆動回路１５１と第２駆動回路１５２とに表示画像に応じた電圧印加信号を入力する表示制御回路１６０と、表示制御回路１６０から入力された電圧印加信号に従って第１電極１２０に電圧を印加する第１駆動回路１５１と、表示制御回路１６０から入力された電圧印加信号に従って第２電極１４０に電圧を印加する第２駆動回路１５２と、により構成されている。
【００４７】
この無機ＥＬ素子１では、第１駆動回路１５１と第２駆動回路１５２とは、複数の第１電極１２０と複数の第２電極１４０とのうち、表示制御回路１６０から入力された表示画像に対応した電圧印加信号に応じた第１電極１２０と第２電極１４０とに選択的に電圧が印加される。そして、電圧が印加された第１電極１２０と第２電極１４０との交差部に構成された画素のみが選択的に発光することにより、電圧印加信号に応じた画像表示をするように構成されている。
【００４８】
基板１１０は、例えば、アルミナ（Ａｌ2Ｏ3）およびホルステライト（２ＭｇＯ／ＳｉＯ2）等の高温焼成セラミックス、結晶化ガラス、又は、石英ガラス等のガラスにより構成することができる。しかし、基板１１０は、絶縁性を有し、無機ＥＬ素子１の機械的強度を担保することができるものであれば、何らこれらに限定されるものではない。
【００４９】
第１電極１２０と第２電極１４０とは、機能層１３０に電圧を印加する機能を有する。第１電極１２０と第２電極１４０とは、例えば、金（Ａｕ）、銀−パラジウム（Ａｇ−Ｐｄ）またはニッケル（Ｎｉ）等の金属材料や、インジウム錫酸化物（ＩＴＯ）、インジウム亜鉛酸化物（ＩＺＯ）等の透明導電性材料等により構成することができるが、何らこれに限定されるものではない。
【００５０】
また、無機ＥＬ素子１が発光層１３２の発光を第２電極１４０側から取り出すトップエミッション方式の無機ＥＬ素子、又は第１電極１２０側及び第２電極１４０側の双方から発光層１３２の発光を取り出す方式の無機ＥＬ素子である場合は、第１電極１２０は、ＩＴＯやＩＺＯ等の透明電極材料により構成することがより好ましい。第２電極１４０を透明電極により構成することにより、発光層１３２の発光の高い取り出し効率を実現することができるからである。
【００５１】
また、第１電極１２０と第２電極１４０とは、比抵抗の観点から、その層厚を０．２〜５μｍに形成することがより好ましい。尚、第１電極１２０と第２電極１４０とは、異なる材料で形成しても、また、同一材料で形成しても勿論構わない。
【００５２】
第１絶縁層１３１及び第２絶縁層１３３は、無機ＥＬパネル１００の絶縁破壊を防止する機能、及び、発光層１３２への電荷供給量を増加する機能を有する。従って、第１絶縁層１３１及び第２絶縁層１３３は、高い誘電率（４以上）及び高い電気絶縁性（絶縁抵抗値１×１０8Ω以上）を有する材料により構成することが好ましい。このような材料としては、例えば、ＳｉＮ4等の窒化物材料、ＳｉＯ2、Ｔａ2Ｏ5，Ａｌ2Ｏ3等の酸化物材料、チタン酸バリウム（ＢａＴｉＯ3）、又は鉛リラクサ（Ｐｂ（Ｎｂ）x（Ｍｇ）yＯ3）などの複合材料等が挙げられるが、何らこれらに限定されるものではない。尚、第１絶縁層１３１及び第２絶縁層１３３は、その層厚を１０〜３０μｍに構成することがより好ましい。この構成によれば、より効果的に無機ＥＬパネル１００の絶縁破壊を防止することができる。
【００５３】
発光層１３２は、第１電極１２０と第２電極１４０とにより印加された電圧によって励起され、発光を伴って基底状態に戻る発光中心と、その発光中心を保護する母体材料と、により形成されている。発光中心としては、例えば、マンガン（Ｍｎ）イオン、銅（Ｃｕ）イオン、及び、希土類イオン等が挙げられるが、何らこれらに限定されるものではない。また、母体材料としては、例えば、硫化亜鉛（ＺｎＳ）、硫化ストロンチウム（ＳｒＳ）、ＳｒＧａＳ4、及び、ＢａＡｌ2Ｓ4等が挙げられるが、何らこれに限定されるものではない。例えば、発光中心としてマンガン（Ｍｎ）を用い、母体材料として硫化亜鉛（ＺｎＳ）を用いた場合は、オレンジ色の発光が得られる。また、発光中心として銅（Ｃｕ）を用い、母体材料として硫化ストロンチウム（ＳｒＳ）を用いた場合は、青色の発光が得られる。
【００５４】
この無機ＥＬ素子１では、複数の第２電極１４０のそれぞれの第２駆動回路１５２から遠い方の画素ほど、第２電極１４０の配線抵抗による電圧降下に起因して第２電極１４０により印加される電圧が低くなる。しかし、この無機ＥＬ素子１では、ストライプ状に形成された複数の第２電極１４０のそれぞれの第２駆動回路１５２に近い方の画素を構成する第１電極１２０ほど長い引き回し電極１２０ａを有するように構成されており、複数の第２電極１４０のそれぞれの第２駆動回路１５２から遠い方の画素ほど高い電圧が印加されるように構成されている。そして、すべての画素において第１電極１２０と第２電極１４０とにより印加される電圧の合計が略同一となるように構成されている。よって、この無機ＥＬ素子１では、画素間の輝度ムラを効果的に抑制することができ、均一で高精細な画像表示をすることができる。
【００５５】
尚、本発明において各画素における印加電圧が略同一であるとは、各画素における印加電圧の差が３Ｖ以下であることを言う。各画素における電圧の差が３Ｖ以下である場合は、画素間で輝度ムラの発生が効果的に抑制されるからである。
【００５６】
以下、無機ＥＬ素子１において画素間で輝度ムラが効果的に抑制されることについて、図６を用いて詳細に説明する。
【００５７】
図６は、図３に示す無機ＥＬ表示素子１の画素Ａ及びＢの部分の電圧降下を説明する説明図である。
【００５８】
図６に示すように、第１駆動回路１５１から入力される電圧が＋４０Ｖ、第２駆動回路１５２から画素Ａに入力される電圧が−２００Ｖ、画素Ａと画素Ｂとの間の第２電極１４０の配線抵抗による電圧降下が５％、画素Ａに接続された第１電極１２０の引き回し電極１２０ａの配線抵抗による電圧降下を２０％である場合は、第１駆動回路１５１が直接接続されている画素Ｂには、第１電極１２０から＋４０Ｖの電圧が印加され、また、第２電極１４０からは、画素Ａに印加される電圧−２００Ｖの９５％に相当する−１９０Ｖが印加されるため、合計−２３０Ｖの電圧が印加される。一方、配線抵抗による電圧降下が２０％である引き回し電極１２０ａを介して第１駆動回路１５１に接続された画素Ａには、第１電極１２０から＋４０Ｖの８０％に相当する３２Ｖが印加され、また、第２電極１４０から−２００Ｖが印加されるため、合計−２３２Ｖの電圧が印加される。すなわち、画素Ａと画素Ｂとでは、印加される電圧の差が２Ｖと小さく、画素間の輝度ムラを効果的に抑制することができる。よって、無機ＥＬ素子１では、輝度ムラがなく高精細な画像表示をすることができる。
【００５９】
（実施形態２）実施形態２に係る無機ＥＬ素子２は、第１電極２２０の構造を除いては実施形態１に係る無機ＥＬ素子１と同様とした。
【００６０】
図４は、実施形態２に係る無機ＥＬ素子２の電極構造を示した概略平面図である。
【００６１】
尚、説明の便宜上、図４には機能層２３０を図示していない。
【００６２】
図４に示すように、無機ＥＬ素子２においては、複数の第２電極２４０のそれぞれの第２駆動回路２５２から遠い方の画素ほど、第２電極２４０の配線抵抗による電圧降下に起因して第２電極２４０により印加される電圧が低くなる。しかし、この無機ＥＬ素子２では、ストライプ状に形成された複数の第２電極２４０のそれぞれの第２駆動回路２５２に近い方の画素を構成する第１電極２２０ほど長い引き回し電極２２０ａを有するように構成されており、複数の第２電極２４０のそれぞれの第２駆動回路２５２から遠い方の画素ほど高い電圧が印加されるように構成されている。そして、すべての画素において第１電極２２０と第２電極２４０により印加される電圧の合計が略同一となるように構成されている。よって、この無機ＥＬ素子２では、画素における輝度ムラがなく、均一な画像表示をすることができる。
【００６３】
また、無機ＥＬ素子２では、引き回し電極２２０ａを無機ＥＬパネル２００の一辺部と、この一辺部に対向する他の辺部へ交互に引き出されている。図３の構成のように第１電極１２０を一辺部のみから引き出した場合は、発光表示エリアがガラス基板の一方に偏ってしまうが、図４のように第１電極２２０を構成することによって、双方均等に配線することができる。従って、上下対称な無機ＥＬ素子２を実現することができる。
【００６４】
（実施形態３）実施形態３に係る無機ＥＬ素子３は、第１電極２２０の構造を除いては、実施形態１に係る無機ＥＬ素子１と同様とした。
【００６５】
図５は、実施形態３に係る無機ＥＬ素子３の電極構造を示した概略平面図である。
【００６６】
尚、説明の便宜上、図４には機能層２３０を図示していない。
【００６７】
図５に示すように、無機ＥＬ素子３においては、複数の第２電極３４０のそれぞれの第２駆動回路３５２から遠い方の画素ほど、第２電極３４０の配線抵抗による電圧降下に起因して第２電極３４０により印加される電圧が低くなる。しかし、この無機ＥＬ素子３では、ストライプ状に形成された複数の第２電極３４０のそれぞれの第２駆動回路３５２から遠い方の画素を構成する第１電極３２０ほど幅広の引き回し電極３２０ａを有するように構成されており、複数の第２電極３４０のそれぞれの第２駆動回路３５２から遠い方の画素ほど高い電圧が印加されるように構成されている。そして、すべての画素において第１電極３２０と第２電極３４０により印加される電圧の合計が略同一となるように構成されている。よって、この無機ＥＬ素子３では、画素における輝度ムラがなく、均一な画像表示をすることができる。
【００６８】
本発明に係る無機ＥＬ素子として、複数の第２電極のそれぞれの第２駆動回路に近い方の画素を構成する第１電極ほど第１駆動回路までの引き回し電極を長く形成する印加電圧補正手段が第１電極に施された無機ＥＬ素子１及び２、及び、複数の第２電極のそれぞれの第２駆動回路に近い方の画素を構成する第１電極ほど第１駆動回路までの引き回し電極を細幅に形成する印加電圧補正手段が第１電極に施された無機ＥＬ素子３を例示して説明した。しかし、本発明に係る無機ＥＬ素子は何らこの構成に限定されるものではなく、例えば、複数の第２電極のそれぞれの第２駆動回路に近い方の画素を構成する第１電極ほど第１駆動回路までの引き回し電極を薄く形成する印加電圧補正手段が第１電極に施された無機ＥＬ素子等であっても勿論構わない。
【００６９】
また、本発明に係る容量性素子として無機ＥＬ素子を例示して説明した。しかし、本発明に係る容量性素子は何らこれに限定されるものではなく、例えば、有機ＥＬ素子、液晶素子、プラズマ素子等であっても勿論構わない。
【図面の簡単な説明】
【００７０】
【図１】実施形態１に係る無機ＥＬ素子１の概略構成図である。
【図２】実施形態１に係る無機ＥＬ素子１の概略断面図である。
【図３】実施形態１に係る無機ＥＬ素子１の電極構造を示した概略平面図である。
【図４】実施形態２に係る無機ＥＬ素子２の電極構造を示した概略平面図である。
【図５】実施形態３に係る無機ＥＬ素子３の電極構造を示した概略平面図である。
【図６】無機ＥＬ素子１の画素Ａ及びＢの部分の電圧降下を説明する説明図である。
【図７】従来の無機ＥＬ素子４の概略断面図である。
【図８】従来の無機ＥＬ素子４の概略平面図である。
【図９】無機ＥＬ素子４の画素Ａ及びＢの部分の電圧降下を説明する説明図である。
【符号の説明】
【００７１】
１、２、３、４  無機ＥＬ素子
１００、２００、３００、４００  無機ＥＬパネル
１１０、４１０  基板
１２０、２２０、３２０４２０  第１電極
１２０ａ、２２０ａ、２３０ａ  引き回し電極
１３０、４３０  機能層
１３１、４３１  第１絶縁層
１３２、４３２  発光層
１３３、４３３  第２絶縁層
１４０、２４０、３４０、４４０  第２電極
１５１、２５１、３５１、４５１  第１駆動回路
１５２、２５２、３５２、４５２  第２駆動回路
１６０、４６０  表示制御回路
【図１】
2005338640.tif 000003
【図２】
2005338640.tif 000004
【図３】
2005338640.tif 000005
【図４】
2005338640.tif 000006
【図５】
2005338640.tif 000007
【図６】
2005338640.tif 000008
【図７】
2005338640.tif 000009
【図８】
2005338640.tif 000010
【図９】
2005338640.tif 000011